(57)【特許請求の範囲】
【請求項１】
電力量を計測する計量器と、電気負荷の配線に接続される接続端子を有した端子部と、前記端子部に取り付けられ前記接続端子を覆う端子部カバーを備え、前記端子部カバーの一部は、前記端子部に設けられたスナップフィットと前記端子部カバーに設けられた突起部との結合によって固定されたことを特徴とする電力量計。
【請求項２】
前記スナップフィットの先端部は、前記端子部カバーの突起部と係り合う結合部と、前記結合部に連なって形成され前記端子部カバーの引外し時に前記端子部カバーの突起部が前記スナップフィットの先端部から離脱するよう導く切欠き部を設けたことを特徴とする請求項１に記載の電力量計。
【請求項３】
前記切欠き部には、前記端子部カバーの突起部の移動を誘導する誘導面を形成したことを特徴とする請求項２に記載の電力量計。
【請求項４】
前記スナップフィットおよび前記端子部カバーの突起部は夫々２箇所設けたことを特徴とする請求項２に記載の電力量計。
【請求項５】
前記スナップフィットは前記端子部を構成する端子台に一体に設けられていることを特徴とする請求項２に記載の電力量計。
【請求項６】
前記端子部カバーの側部に、前記計量器で得られた計測データを伝送する無線通信ユニットを取り付けたことを特徴とする請求項１から請求項５の何れか一項に記載の電力量計。
【発明の詳細な説明】
【技術分野】
【０００１】
この発明は、端子部を覆う端子部カバーを備えた電力量計に関するものである。
【背景技術】
【０００２】
従来の電力量計は、電力量を計測しこの電力量を表示する表示器を有する計量部と、この計量部に着脱可能に接続され電源側端子および負荷側端子を有する端子ブロックと、この端子ブロックを覆い、端子ブロックへ左右２本のねじにより固定される端子部カバーとから構成されていた（例えば、特許文献１参照）。
また、自動検針を行うため、計測した電力量を通信により、伝送するための通信ユニットを端子ブロックの上に設け、端子部カバーで覆うようにした通信機能付きの電力量計が知られている（例えば、特許文献２参照）。
【先行技術文献】
【特許文献】
【０００３】
【特許文献１】特開２００９−３６６６１号公報
【特許文献２】特開２０１２−１４５５７９号公報
【発明の概要】
【発明が解決しようとする課題】
【０００４】
従来の電力量計では、端子部カバーを２本のねじにより端子ブロックに固定していたが、固定用のねじを１本にしたいという要望がある。
また、通信ユニットは、端子ブロックの上に設けられ、端子部カバーで覆っていたが、設置環境によっては、通信アンテナの指向性により通信エラーを起こす場合があるため、通信ユニットを端子部カバーの外に出し、端子部カバーの通信状態が良い箇所に装着したいという要望もある。
そこで、端子部カバーの固定用のねじを左右いずれか１本とし、通信ユニットを端子部カバーの外側に装着することが考えられる。
しかしながら、端子部カバーは、電力量計の設置時に一旦、取り外して電線を接続後、再度装着される。そのため、端子部カバーを取り外しにあたっては、固定用のねじを外したときには、容易に取り外しが可能である必要があるが、固定用のねじを１本にすると、ねじを設けない側において、端子ブロックと端子部カバーの係合が外れにくくなるという懸念もあった。
【０００５】
この発明は、上述のような課題を解決するためになされたもので、端子部カバーの固定用ねじを１本にすることが可能で、端子部カバーの取り外し時には、端子部カバーが容易に外れ、端子部カバーの装着時には、端子部カバーが外れない電力量計を得ることを目的とするものである。
【課題を解決するための手段】
【０００６】
この発明に係る電力量計においては、電力量を計測する計量器と、電気負荷の配線に接続される接続端子を有した端子部と、端子部に取り付けられ接続端子を覆う端子部カバーが設けられ、端子部カバーの一部は、端子部に設けられたスナップフィットと端子部カバーに設けられた突起部との結合によって固定されるように構成されている。
【発明の効果】
【０００７】
この発明によれば、端子部カバーの一部をスナップフィットで端子部に固定することにより、簡単な構造で端子部カバーを容易に取り外しできる電力量計を得ることができる。
【図面の簡単な説明】
【０００８】
【図１】この発明の実施の形態１に係る電力量計を示す正面図である。
【図２】この発明の実施の形態１に係る電力量計を示す左斜視図である。
【図３】この発明の実施の形態１に係る電力量計を示す右斜視図である。
【図４】この発明の実施の形態１に係る電力量計を部分的に分解して示す正面図である。
【図５】この発明の実施の形態１に係る電力量計を部分的に分解して示す左斜視図である。
【図６】この発明の実施の形態１に係る電力量計を部分的に分解して示す右斜視図である。
【図７】この発明の実施の形態１に係る電力量計の端子部カバーの内面を示す裏面斜視図である。
【図８】この発明の実施の形態１に係る電力量計におけるスナップフィットを示す斜視図である。
【図９】この発明の実施の形態１に係る電力量計におけるスナップフィットを示す正面図である。
【図１０】図７におけるＡ部の拡大斜視図である。
【図１１】この発明の実施の形態１に係る電力量計におけるスナップフィットの結合状態を示す断面図である。
【図１２】この発明の実施の形態１に係る電力量計におけるスナップフィットの変形例を示す斜視図である。
【図１３】この発明の実施の形態１に係る電力量計におけるスナップフィットの変形例を示す正面図である。
【図１４】図１２、図１３に示すスナップフィットの結合状態を示す断面図である。
【図１５】この発明の実施の形態１に係る電力量計の端子部カバーの取り外し過程を示す側面図である。
【図１６】この発明の実施の形態２に係る電力量計の要部を透視して示す部分左斜視図である。
【図１７】この発明の実施の形態２に係る電力量計の端子部カバーの内面を示す裏面斜視図である。
【図１８】この発明の実施の形態２に係る電力量計におけるスナップフィットを示す斜視図である。
【図１９】この発明の実施の形態２に係る電力量計におけるスナップフィットを示す正面図である。
【図２０】図１７におけるＢ部の拡大斜視図である。
【図２１】この発明の実施の形態２に係る電力量計におけるスナップフィットの結合状態を示す断面図である。
【図２２】この発明の実施の形態２に係る電力量計におけるスナップフィットの変形例を示す斜視図である。
【図２３】この発明の実施の形態２に係る電力量計におけるスナップフィットの変形例を示す正面図である。
【図２４】図２２、図２３に示すスナップフィットの結合状態を示す断面図である。
【図２５】この発明の実施の形態２に係る電力量計の端子部カバーの取り外し過程を示す側面図である。
【図２６】この発明の実施の形態２に係る電力量計の端子部カバーの取り外し過程を示す要部拡大側面図である。
【図２７】この発明の実施の形態３に係る電力量計を部分的に分解して示す正面図である。
【図２８】この発明の実施の形態３に係る電力量計を部分的に分解して示す左斜視図である。
【図２９】この発明の実施の形態３に係る電力量計を部分的に分解して示す右斜視図である。
【図３０】この発明の実施の形態４に係る電力量計を概略的に示す正面図である。
【図３１】この発明の実施の形態４に係る電力量計を概略的に示す左斜視図である。
【発明を実施するための形態】
【０００９】
以下、この発明の実施の形態について、図面を参照して詳述する。なお、各図中、同一符号は、同一又は相当部分を示すものとする。
【００１０】
実施の形態１．
図１はこの発明の実施の形態１に係る電力量計の正面図 、図２はこの電力量計を左斜
め側面方向から見た左斜視図、図３はこの電力計を右斜め側面方向から見た右斜視図である。
【００１１】
この実施の形態１に係る電力量計１００は、図１〜図３に示すように、電力量を計測し使用電力量を表示する計量器１、計量器１と電気負荷、例えば需要家の電気機器とを配線にて接続する端子部２を有している。
【００１２】
計量器１には、合成樹脂で一体成型され計量器１の主要部を収納するケースに計量器カバー３が、例えば、ねじによる取付部５によって、取り外し可能に取り付けられている。また、端子部２には、合成樹脂で一体成型され端子部２を構成する端子台に端子部カバー４が取付ねじ６及び後述するスナップフィットによって、取り外し可能に取り付けられている。
【００１３】
図４〜図６は、端子部２を構成する端子台から端子部カバー４を分解して取り外した状態を示す正面図、左斜視図、右斜視図である。これらの図に示されるように、端子部２を構成する端子台には、端子部カバー４を締め付け固定する取付ねじ６が結合されるねじ孔７ａが形成されている。なお、ねじ孔７ｂは、端子部カバー４の取付ねじ６を端子部カバー４の左側部に設けた場合に用いられる。
【００１４】
端子部２の端子台には、計量器１の回路要素と端子台の接続端子とを接続する配線部分を覆う端子ブロックカバー８が、取り外し可能に固定されている。
この端子ブロックカバー８は、左右両側に壁が合成樹脂で一体成型された盆状のものであって、配線部分の露出を防ぎ、また必要に応じ計量器１の計測データを外部に送信する有線通信ユニットを保持するとともに、配線に流れる電流による電磁的影響を抑制することができる。
【００１５】
端子部２の左側面には、図４、図５に示すようにスナップフィット１０が端子台と一体に設けられている。また、端子部２の端子台下部には、ねじ１１によって電気機器の配線が接続される６箇所の端子が設けられている。
【００１６】
端子部カバー４の上部開放側には、計量器１の計量器カバー３の対向部に形成された溝部に嵌め込まれるリブ１２が図７に示すように形成されている。また、この端子部カバー４の上部側には端子ブロックカバー８の上部を覆うユニット包囲部１３が形成されており、端子部カバー４の下部側には端子部２の端子部分を覆う端子包囲部１４が形成されている。更に、端子部カバー４の内面側壁には、図４、図５に示すスナップフィット１０と対向し結合可能な突起部１５が設けられている。
【００１７】
スナップフィット１０は、図８、図９に示されるよう形成されており、本体１６の下部には端子部カバー４に設けた突起部１５と結合可能な爪部を形成する先端部１７が設けられている。先端部１７の表面には、面取り部１８、結合部１９、切欠き部２０、誘導面２１ａ（第１の誘導面）、誘導面２１ｂ（第２の誘導面）が形成されている。面取り部１８は、先端部１７と突起部１５が結合される際に突起部１５が摺動する部分であり、結合部１９は突起部１５と嵌め合いによって結合される部分である。また、切欠き部２０は、スナップフィットを結合状態から取り外す際に、結合部１９の上面を図９において右方向に端子部カバー４の突起部１５を摺動させた際に、突起部１５を誘導面２１ａ、２１ｂに沿って通過させ、突起部１５と結合部１９との結合を分離させる部分である。
【００１８】
端子部カバー４の突起部１５は、図１０に示されるように、端子部カバー４の内面に、空間領域１５１と端子部カバー４を着脱させる際にスナップフィット１０の結合部１９との干渉防止用の空間領域１５２とを両側に設けて突起部１５が形成されている。
【００１９】
スナップフィット１０と端子部カバー４との結合は、図１１に示されるように、先端部１７に設けられた図８、図９に示す如くの結合部１９の上面と本体１６の表面に当たってなされている。端子部カバー４を取り付ける際は、突起部１５によって面取り部１８に当たり、スナップフィット１０の弾性力に抗して、破線にて示すように、スナップフィット１０が端子部２の端子台方向に押し込まれるように変形し、面取り部１８を通過して結合部１９の上面に達した時点で、スナップフィット１０は弾性力で元の状態に復帰して、図１１のような結合状態となる。なお、スナップフィット１０の先端部１７の裏面（面取り部１８が形成された面とは反対側の面）には、突起部２２が形成されており、スナップフィット１０が弾性変形するとき、端子部の端子台に当たることによって、スナップフィット１０が過度に変形して破損することがないように構成されている。
【００２０】
図１２および図１３は、スナップフィット１０の変形例を示しており、誘導面２１ａ、誘導面２１ｂをなくしたものである。本体（部）１６の下部には端子部カバー４に設けた突起部１５と結合可能な爪部を形成する先端部１７が設けられている。先端部１７の表面には、面取り部１８、結合部１９、切欠き部２０が形成されている。面取り部１８は、先端部１７と突起部１５が結合される際に突起部１５が摺動する部分であり、結合部１９は突起部１５と嵌め合いによって結合される部分である。また、切欠き部２０は、スナップフィットを結合状態から取り外す際に、結合部１９の上面を図１３において右方向に端子部カバー４の突起部１５を摺動させた際に、突起部１５を通過させ、突起部１５と結合部１９との結合を分離させる部分である。
【００２１】
スナップフィット１０と端子部カバー４との結合は、図１４に示されるように、先端部１７に設けられた図１２、図１３に示す如くの結合部１９の上面と本体１６の表面に当たってなされている。端子部カバー４を取り付ける際は、突起部１５によって面取り部１８に当たり、スナップフィット１０の弾性力に抗して、破線にて示すように、スナップフィット１０が端子部２の端子台方向に押し込まれるように変形し、面取り部１８を通過して結合部１９の上面に達した時点で、スナップフィット１０は弾性力で元の状態に復帰して、図１４のような結合状態となる。なお、スナップフィット１０の先端部１７の裏面（面取り部１８が形成された面とは反対側の面）には、突起部２２が形成されており、スナップフィット１０が弾性変形するとき、端子部の端子台に当たることによって、スナップフィット１０が過度に変形して破損することがないように構成されている。
このように、誘導面２１ａ、誘導面２１ｂをなくしたスナップフィット１０でも、端子部カバー４を着脱する際に、端子部カバー４の空間領域１５２と結合部１９が対向するように、端子部カバー４をスライドさせたとき端子部カバー４の自重やスライド操作などで、端子部カバー４の突起部１５を切欠き部２０に接触させることができれば、構成可能である。
もちろん、摺動性の向上を図って、誘導面２１ａ、誘導面２１ｂの少なくとも一方をスナップフィット１０に設けてもよい。なお、端子部カバー４の突起部１５側に誘導面を設けて、摺動性の向上を図ってもよい。
【００２２】
図１５は、端子部カバー４を取り外す過程を示しており、図１５（ａ）は端子部カバー４が端子部２に取り付けられた状態、図１５（ｂ）は端子部カバー４を途中まで引出した状態、図１５（ｃ）は端子部カバー４の取り外し最終段階の状態を示している。なお、計量器１、端子部２等で構成される電力量計は、建屋の壁面、分電盤の支持体等の固定部２３に取り付けられている。
【００２３】
図１５（ａ）の状態では、スナップフィット１０の先端部１７が端子部カバー４の突起部１５と結合状態にあり、端子部カバー４は、例えば図１に示す取付ねじ６と、スナップフィット１０とによって端子部２の端子台に固定されている。また、端子部カバー４に形成されたリブ１２は、計量器カバー３に形成された溝部に嵌め込まれた状態となっている。
【００２４】
図１５（ａ）の状態から端子部カバー４を図において右方向にスライドさせると、図１５（ｂ）に示すように、突起部１５はスナップフィット１０先端部１７に形成された結合部１９の上面から切欠き部２０の上部に移動し、結合部１９との結合が解かれる。また、端子部カバー４に形成されたリブ１２は、計量器カバー３に形成された溝部に嵌め込まれた状態であるが、溝部内を図において右方向に移動した状態になっている。
【００２５】
図１５（ｂ）の状態から端子部カバー４を図においてリブ１２を中心に左方向（反時計方向）に回転させながら斜め右方向に引出すと、端子部カバー４の突起部１５はスナップフィット１０の先端部１７に形成された切欠き部２０を通り、またリブ１２は計量器カバー３の溝部内で斜めに傾き、図１５（ｃ）に示すような状態となる。なお、図８、図９に示すように、スナップフィット１０の先端部１７に設けた切欠き部２０に誘導面２１ａ、２１ｂを形成したスナップフィットを用いたものでは、突起部１５がこの誘導面２１ａ、２１ｂに案内されながら移動できるので分離動作をより円滑に行うことが可能となる。
【００２６】
図１５（ｃ）の状態から端子部カバー４を図において斜め右方向に引出すと、端子部カバー４を端子部２から取り外すことができる。
また、スナップフィット１０は弾性を有しないものでも、端子部カバー４の取り外しと逆の手順を行えば端子部カバー４を取り付けることができる。
【００２７】
実施の形態２．
図１６は、この発明の実施の形態２に係る電力量計の概略構成示す左斜視図であって、スナップフィット部分を透視にて概略的に示している。実施の形態１と異なるところは、端子部２にスナップフィット１０ａ（第１のスナップフィット）とスナップフィット１０ｂ（第２のスナップフィット）の２個のスナップフィットを設けている。
【００２８】
端子部カバー４の上部開放側には、計量器１の計量器カバー３の対向部に形成された溝部に嵌め込まれるリブ１２が図１７に示すように形成されている。また、この端子部カバー４の上部側には端子ブロックカバー８の上部を覆うユニット包囲部１３が形成されており、端子部カバー４の下部側には端子部２の端子部分を覆う端子包囲部１４が形成されている。更に、端子部カバー４の内面側壁には、図１６に示すスナップフィット１０ａとスナップフィット１０ｂに夫々対向し結合可能な突起部１５ａと突起部１５ｂが設けられている。
【００２９】
本実施の形態２におけるスナップフィット１０は、図１８、図１９に示されるようスナップフィット１０ａとスナップフィット１０ｂの２個のスナップフィットが設けられており、各本体１６の下部には端子部カバー４に設けた図２０に示す突起部１５ａ（第１の突起部）、１５ｂ（第２の突起部）と結合可能な爪部を形成する先端部１７が設けられている。各先端部１７の表面には、面取り部１８、結合部１９ａ、１９ｂ、切欠き部２０、誘導面２１ａ、２１ｂが夫々形成されている。面取り部１８は、先端部１７と各突起部１５ａ、１５ｂが結合される際に突起部１５ａ、１５ｂが摺動する部分であり、結合部１９ａ、１９ｂはそれぞれ突起部１５ａ、１５ｂと嵌め合いによって結合される部分である。面取り部１８の側面にはカット部１８ａが形成されている。また、切欠き部２０は、スナップフィット１０ａ、１０ｂを結合状態から取り外す際に、結合部１９ａ、１９ｂの上面を図１９において右方向に端子部カバー４の突起部１５ａ、１５ｂを摺動させた際に、突起部１５ａ、１５ｂを誘導面２１ａ、２１ｂに沿って通過させ、突起部１５ａ、１５ｂと結合部１９ａ、１９ｂとの結合を分離させる部分である。
【００３０】
端子部カバー４の突起部１５ａ、１５ｂは、図２０に示されるように、端子部カバー４の内面に、空間領域１５１と端子部カバー４を着脱させる際にスナップフィット１０ａ、１０ｂに干渉防止用の空間領域１５２，１５３とを両側に設けて突起部１５ａ、１５ｂが形成されている。詳細には、空間領域１５１と１５２の間に突起部１５ａが、空間領域１５２と１５３の間に突起部１５ｂが形成されており、結合部１９ａの干渉防止用には空間領域１５３が、結合部１９ｂの干渉防止用には空間領域１５２が形成されている。
【００３１】
スナップフィット１０ａ、１０ｂと端子部カバー４との結合は、図２１に示されるように、先端部１７に設けられた図1８、図1９に示す如くの結合部１９ａ、１９ｂの上面と本体１６の表面に当たってなされている。端子部カバー４を取り付ける際は、突起部１５ａ、１５ｂによって面取り部１８に当たり、スナップフィットの弾性力に抗して、破線にて示すように、スナップフィット１０ａ、１０ｂが端子部２の端子台方向に押し込まれるように変形し、面取り部１８を通過して結合部１９の上面に達した時点で、スナップフィット１０ａ、１０ｂは弾性力で元の状態に復帰して、図２１のような結合状態となる。なお、スナップフィットの先端部１７の裏面（面取り部１８が形成された面とは反対側の面）には、突起部２２が形成されており、スナップフィット１０が弾性変形するとき、端子部の端子台に当たることによって、スナップフィット１０ａ、１０ｂが過度に変形して破損することがないように構成されている。
【００３２】
図２２および図２３は、スナップフィット１０ａ、１０ｂの変形例を示しており、各本体１６の下部には端子部カバー４に設けた突起部１５ａ、１５ｂと結合可能な爪部を形成する各先端部１７が設けられている。各先端部１７の表面には、面取り部１８、結合部１９、切欠き部２０が夫々形成されている。面取り部１８は、先端部１７と突起部１５ａ、１５ｂが結合される際に突起部１５ａ、１５ｂ摺動する部分であり、結合部１９ａ、１９ｂは突起部１５ａ、１５ｂと嵌め合いによって結合される部分である。また、切欠き部２０は、スナップフィットを結合状態から取り外す際に、結合部１９ａ、１９ｂの上面を図２３において右方向に端子部カバー４の突起部１５、１５ｂを摺動させた際に、突起部１５ａ、１５ｂを通過させ、突起部１５ａ、１５ｂと結合部１９ａ、１９ｂとの結合を分離させる部分である。
このように、誘導面２１ａ、誘導面２１ｂをなくしたスナップフィット１０ａ、１０ｂでも、端子部カバー４を着脱する際に、端子部カバー４の空間領域１５２と結合部１９ｂ、空間領域１５３と結合部１９ａが対向するように、端子部カバー４をスライドさせたとき端子部カバー４の自重やスライド操作などで、端子部カバー４の突起部１５ａ、１５ｂを切欠き部２０に接触させることができれば、構成可能である。
もちろん、摺動性の向上を図って、誘導面２１ａ、誘導面２１ｂの少なくとも一方をスナップフィット１０ａ、１０ｂに設けてもよい。なお、端子部カバー４の突起部１５ａ、１５ｂ側に誘導面を設けて、摺動性の向上を図ってもよい。
【００３３】
スナップフィット１０ａ、１０ｂと端子部カバー４との結合は、図２４に示されるように、先端部１７に設けられた図２２、図２３に示す如くの結合部１９ａ、１９ｂの上面と本体１６の表面に当たってなされている。端子部カバー４を取り付ける際は、突起部１５ａ、１５ｂによって面取り部１８に当たり、スナップフィットの弾性力に抗して、破線にて示すように、スナップフィット１０ａ、１０ｂが端子部２の端子台方向に押し込まれるように変形し、面取り部１８を通過して結合部１９ａ、１９ｂの上面に達した時点で、スナップフィット１０ａ、１５ｂは弾性力で元の状態に復帰して、図２４のような結合状態となる。なお、スナップフィットの先端部１７の裏面（面取り部１８が形成された面とは反対側の面）には、突起部２２が形成されており、スナップフィット１０ａ、１０ｂが弾性変形するとき、端子部の端子台に当たることによって、スナップフィット１０ａ、１０ｂが過度に変形して破損することがないように構成されている。
【００３４】
図２５は、端子部カバー４を取り外す過程を示しており、図２５（ａ）は端子部カバー４が端子部２に取り付けられた状態、図２５（ｂ）は端子部カバー４を途中まで引出した状態、図２５（ｃ）は端子部カバー４の取り外し最終段階の状態を示している。なお、計量器１、端子部２等で構成される電力量計は、建屋の壁面、分電盤の支持体等の固定部２３に取り付けられている。
【００３５】
図２５（ａ）の状態では、スナップフィット１０ａ、１０ｂの先端部１７が端子部カバー４の突起部１５ａ、１５ｂと結合状態にあり、端子部カバー４は、例えば図１、図６に示す取付ねじ６と、スナップフィット１０ａ、１０ｂとによって端子部２の端子台に固定されている。また、端子部カバー４に形成されたリブ１２は、計量器カバー３に形成された溝部に嵌め込まれた状態となっている。
【００３６】
図２５（ａ）の状態から端子部カバー４を図において右方向にスライドさせると、図２５（ｂ）に示すように、突起部１５ａ、１５ｂはスナップフィット１０ａ、１０ｂ先端部１７に形成された結合部１９の上面から切欠き部２０の上部に移動し、結合部１９ａ、１９ｂとの結合が解かれる。また、端子部カバー４に形成されたリブ１２は、計量器カバー３に形成された溝部に嵌め込まれた状態であるが、溝部内を図において右方向に移動した状態になっている。
【００３７】
図２５（ｂ）の状態から端子部カバー４を図において左方向（反時計方向）に回転させながら斜め右方向に引出すと、端子部カバー４の突起部１５ａ、１５ｂはスナップフィット１０ａ、１０ｂの先端部１７に形成された切欠き部２０を通り、またリブ１２は計量器カバー３の溝部内で斜めに傾き、図２５（ｃ）に示すような状態となる。なお、図１８、図１９に示すように、スナップフィット１０ａ、１０ｂの先端部１７に設けた切欠き部２０に誘導面２１ａ、２１ｂを形成したスナップフィットを用いたものでは、突起部１５ａ、１５ｂがこの誘導面２１ａ、２１ｂに案内されながら移動できるので分離動作をより円滑に行うことが可能となる。
【００３８】
図２５（ｃ）の状態から端子部カバー４を図において斜め右方向に引出すと、端子部カバー４を端子部２から取り外すことができる。
【００３９】
また、図２６は図２５（ｃ）の要部を拡大して示しており、端子部カバー４を図において矢印で示すように右横方向にずらせた後、斜め右下方向に引出すように移動させる。また、スナップフィット１０ｂの先端部１７に設けた面取り部１８の側面にカット部１８ａが形成されているので、同図に示されるように、端子部カバー４を移動させた際に、端子部カバー４の突起部１５ａがスナップフィット１０ｂの先端部１７に触れることなくスムースに移動させることができる。
【００４０】
実施の形態３．
図２７〜図２９は、この発明に係る実施の形態３における電力量計を示しており、端子部２を構成する端子台から端子部カバー４を分解して取り外した状態を示す正面図、左斜視図、右斜視図である。
【００４１】
この実施の形態３においては、スナップフィット１０は、端子部２を構成する端子台に一体成形にて設けられている。その他の構成は、実施の形態１、実施の形態２と同様に構成されるものであって、その詳細については説明を省略する。
このように、スナップフィット１０を端子部２を構成する端子台に形成することによって、端子部２の端子台を加工する必要がない。また、この実施の形態２においても、実施の形態１と同様の効果を得ることができる。
【００４２】
実施の形態４．
図３０および図３１は、この発明に係る実施の形態４における電力量計１００示した正面図と左斜視図である。
この実施の形態４においては、電力量計１００の左側面部、具体的には端子部カバー４に計量器１の計測データを伝送するための無線通信ユニット２４が取付部２５に設けられたねじ孔２６に取り付けられるねじによって固定される。その他の構成は、実施の形態１〜実施の形態３と同様に構成されるものであって、その詳細については説明を省略する。
【００４３】
このような実施の形態４においても、実施の形態１、実施の形態２と同様の効果を得ることができる。またこの場合、実施の形態２で説明したスナップフィット１０ａ、１０ｂを有したスナップフィット並びに突起部１５ａ、１５ｂを有した端子部カバー４を用いれば、無線通信ユニット２４によって加わる重量を分担して保持することができる。
【００４４】
なお、この発明は、その発明の範囲内において、各実施の形態を自由に組み合わせたり、各実施の形態を適宜、変形、省略することが可能である。
【符号の説明】
【００４５】
１  計量器、２  端子部、３  計量器カバー、４  端子部カバー、８  端子ブロックカバー、１０  スナップフィット、１０ａ  スナップフィット、１０ｂ  スナップフィット、１５  突起部、１５ａ  突起部、１５ｂ  突起部、１６  本体、１７  先端部、１９  結合部、２０  切欠き部、２１ａ  誘導面、２１ｂ  誘導面、２２  突起部、２４  無線通信ユニット、１００  電力量計
【図１】
0006410625.tif 000002
【図２】
0006410625.tif 000003
【図３】
0006410625.tif 000004
【図４】
0006410625.tif 000005
【図５】
0006410625.tif 000006
【図６】
0006410625.tif 000007
【図７】
0006410625.tif 000008
【図８】
0006410625.tif 000009
【図９】
0006410625.tif 000010
【図１０】
0006410625.tif 000011
【図１１】
0006410625.tif 000012
【図１２】
0006410625.tif 000013
【図１３】
0006410625.tif 000014
【図１４】
0006410625.tif 000015
【図１５】
0006410625.tif 000016
【図１６】
0006410625.tif 000017
【図１７】
0006410625.tif 000018
【図１８】
0006410625.tif 000019
【図１９】
0006410625.tif 000020
【図２０】
0006410625.tif 000021
【図２１】
0006410625.tif 000022
【図２２】
0006410625.tif 000023
【図２３】
0006410625.tif 000024
【図２４】
0006410625.tif 000025
【図２５】
0006410625.tif 000026
【図２６】
0006410625.tif 000027
【図２７】
0006410625.tif 000028
【図２８】
0006410625.tif 000029
【図２９】
0006410625.tif 000030
【図３０】
0006410625.tif 000031
【図３１】
0006410625.tif 000032